(57)【要約】【課題】本発明は、簡易な構成でスレーブ側のＨＤＤビデオカメラ２からマスター側のパーソナルコンピュータ４を制御して所定の機能を実行させようとするものである。【解決手段】本発明は、マスター側のパーソナルコンピュータ４とスレーブ側のＨＤＤビデオカメラ２とが接続された情報処理システム１において、ＨＤＤビデオカメラ２は、ユーザのボタン操作に応じてパーソナルコンピュータ４により映像ファイル格納済みＤＶＤを作成させるための機能識別ファイル「DVDBURN.IND」を生成して保持し、パーソナルコンピュータ４は、ＨＤＤビデオカメラ２が論理的に接続されたことを検出した後、ＨＤＤビデオカメラのファイルシステムの機能識別ファイルが存在したときＤＶＤ作成アプリケーションプログラムを自動的に起動することにより、ＨＤＤビデオカメラ２からパーソナルコンピュータ４を制御して映像ファイル格納済みＤＶＤを作成させることができる。【選択図】図４
2007200518.tif 000002
【特許請求の範囲】
【請求項１】
情報処理装置とコンテンツ出力装置とが接続された情報処理システムにおいて、
上記コンテンツ出力装置は、
ユーザのボタン操作に応じて上記情報処理装置により所定の機能を実行させるための機能識別ファイルを生成する機能識別ファイル生成手段と、
上記機能識別ファイルを記憶手段に保持するファイル保持手段と
を具え、
上記情報処理装置は、
上記コンテンツ出力装置が接続されたことを検出する検出手段と、
上記コンテンツ出力装置が接続されたことを検出した後、上記記憶手段に保持された上記機能識別ファイルの有無に応じて上記機能を実行させるため所定のアプリケーションプログラムを起動する制御手段と
を具えることを特徴とする情報処理システム。
【請求項２】
上記コンテンツ出力装置は、撮像部を介して取り込まれた画像を記録媒体に書き込むための命令が上記ユーザのボタン操作により指示されたことに応じて上記機能識別ファイルを生成する
ことを特徴とする請求項１に記載の情報処理システム。
【請求項３】
上記ファイル保持手段は、上記機能識別ファイルをルートディレクトリの直下に置く
ことを特徴とする請求項１に記載の情報処理システム。
【請求項４】
上記ファイル保持手段は、上記情報処理装置と上記コンテンツ出力装置との接続状態が切断されたとき、上記機能識別ファイルを上記記憶手段から削除する
ことを特徴とする請求項１に記載の情報処理システム。
【請求項５】
情報処理装置と接続されるコンテンツ出力装置において、
上記情報処理装置が接続された後、上記コンテンツ出力装置が所持する所定の機能識別ファイルの有無に応じて、上記情報処理装置に対して所定の機能を実行させる所定のアプリケーションプログラムを起動させるため、ユーザのボタン操作に応じて上記機能識別ファイルを生成する機能識別ファイル生成手段と、
上記機能識別ファイルを記憶手段に保持するファイル保持手段と
を具えることを特徴とするコンテンツ出力装置。
【請求項６】
情報処理装置と接続されたコンテンツ出力装置による情報処理装置制御方法において、
上記情報処理装置が接続された後、上記コンテンツ出力装置が所持する所定の機能識別ファイルの有無に応じて、上記情報処理装置に対して所定の機能を実行させる所定のアプリケーションプログラムを起動させるため、ユーザのボタン操作に応じて上記機能識別ファイルを生成する機能識別ファイル生成ステップと、
上記機能識別ファイルを記憶手段に保持するファイル保持ステップと、
上記情報処理装置が上記コンテンツ出力装置と接続されたことを検出したとき、上記記憶手段に保持された上記機能識別ファイルの有無に応じて上記アプリケーションプログラムを起動させる制御ステップと
を具えることを特徴とするコンテンツ出力装置による情報処理装置制御方法。
【請求項７】
情報処理装置と接続されたコンテンツ出力装置による情報処理装置制御プログラムにおいて、
上記情報処理装置が接続された後、上記コンテンツ出力装置が所持する所定の機能識別ファイルの有無に応じて、上記情報処理装置に対して所定の機能を実行させる所定のアプリケーションプログラムを起動させるため、ユーザのボタン操作に応じて上記機能識別ファイルを生成する機能識別ファイル生成ステップと、
上記機能識別ファイルを記憶手段に保持するファイル保持ステップと、
上記情報処理装置が上記コンテンツ出力装置と接続されたことを検出したとき、上記記憶手段に保持された上記機能識別ファイルの有無に応じて上記アプリケーションプログラムを起動させる制御ステップと
を実行させるための情報処理装置制御プログラム。
【請求項８】
情報処理装置とコンテンツ出力装置とが接続された情報処理システムにおいて、
上記コンテンツ出力装置は、
上記コンテンツ出力装置が所持するコンテンツを上記情報処理装置により記録媒体に記録させるための機能識別ファイルを生成する機能識別ファイル生成手段と、
上記記録媒体に記録すべき上記コンテンツの種別が選択されると、その種別を示す種別情報が書き込まれた種別識別ファイルを生成する種別識別ファイル生成手段と、
上記機能識別ファイル及び上記種別識別ファイルを記憶手段に保持するファイル保持手段と
を具え、
上記情報処理装置は、
上記コンテンツ出力装置が接続されたことを検出する検出手段と、
上記コンテンツ出力装置が接続されたことを検出した後、上記記憶手段に保持された上記機能識別ファイルの有無に応じて上記記録媒体に上記コンテンツを記録させるための所定のアプリケーションプログラムを起動し、上記種別識別ファイルの上記種別情報に従って上記コンテンツ出力装置が所持する上記コンテンツを記録する制御手段と
を具えることを特徴とする情報処理システム。
【請求項９】
上記制御手段は、上記コンテンツの種別に対応した種類の上記記録媒体に対して、上記コンテンツ出力装置が所持する上記コンテンツを記録する
ことを特徴とする請求項８に記載の情報処理システム。
【請求項１０】
上記コンテンツ出力装置は、撮像部を介して取り込まれた画像を上記記録媒体に書き込むための命令が上記ユーザのボタン操作により指示されたことに応じて上記機能識別ファイル及び上記種別識別ファイルを生成する
ことを特徴とする請求項８に記載の情報処理システム。
【請求項１１】
上記ファイル保持手段は、上記機能識別ファイル及び上記種別識別ファイルをルートディレクトリの直下に置く
ことを特徴とする請求項８に記載の情報処理システム。
【請求項１２】
上記ファイル保持手段は、上記情報処理装置と上記コンテンツ出力装置との接続状態が切断されたとき、上記機能識別ファイル及び又は上記種別識別ファイルを上記記憶手段から削除する
ことを特徴とする請求項８に記載の情報処理システム。
【請求項１３】
情報処理装置と接続されるコンテンツ出力装置において、
上記コンテンツ出力装置が所持するコンテンツを上記情報処理装置により記録媒体に記録させる所定のアプリケーションプログラムを上記情報処理装置に対して起動させるための機能識別ファイルを生成する機能識別ファイル生成手段と、
上記記録媒体に記録すべき上記コンテンツの種別が選択されると、その種別を示す種別情報が書き込まれた種別識別ファイルを生成する種別識別ファイル生成手段と、
上記機能識別ファイル及び上記種別識別ファイルを記憶手段に保持するファイル保持手段と
を具えることを特徴とするコンテンツ出力装置。
【請求項１４】
情報処理装置と接続されたコンテンツ出力装置による情報処理装置制御方法において、
上記コンテンツ出力装置が所持するコンテンツを上記情報処理装置により記録媒体に記録させる所定のアプリケーションプログラムを上記情報処理装置に対して起動させるための機能識別ファイルを生成する機能識別ファイル生成ステップと、
上記記録媒体に記録すべき上記コンテンツの種別が選択されると、その種別を示す種別情報が書き込まれた種別識別ファイルを生成する種別識別ファイル生成ステップと、
上記機能識別ファイル及び上記種別識別ファイルを記憶手段に保持するファイル保持ステップと、
上記情報処理装置が上記コンテンツ出力装置と接続されたことを検出したとき、上記記憶手段に保持された上記機能識別ファイルの有無に応じて上記機能を実行させるため所定のアプリケーションプログラムを起動させ、上記種別識別ファイルの上記種別情報に従って上記コンテンツ出力装置が所持する上記コンテンツを記録させる制御ステップと
を具えることを特徴とするコンテンツ出力装置による情報処理装置制御方法。
【請求項１５】
情報処理装置と接続されたコンテンツ出力装置による情報処理装置制御プログラムにおいて、
上記コンテンツ出力装置が所持するコンテンツを上記情報処理装置により記録媒体に記録させる所定のアプリケーションプログラムを上記情報処理装置に対して起動させるための機能識別ファイルを生成する機能識別ファイル生成ステップと、
上記記録媒体に記録すべき上記コンテンツの種別が選択されると、その種別を示す種別情報が書き込まれた種別識別ファイルを生成する種別識別ファイル生成ステップと、
上記機能識別ファイル及び上記種別識別ファイルを記憶手段に保持するファイル保持ステップと、
上記情報処理装置が上記コンテンツ出力装置と接続されたことを検出したとき、上記記憶手段に保持された上記機能識別ファイルの有無に応じて上記機能を実行させるため所定のアプリケーションプログラムを起動させ、上記種別識別ファイルの上記種別情報に従って上記コンテンツ出力装置が所持する上記コンテンツを記録させる制御ステップと
を実行させるための情報処理装置制御プログラム。
【発明の詳細な説明】
【技術分野】
【０００１】
本発明は、情報処理システム、コンテンツ出力装置、コンテンツ出力装置による情報処理装置制御方法及び情報処理装置制御プログラムに関し、例えばディスクドライブ装置及びパーソナルコンピュータによって構成されるシステムに適用して好適なものである。
【背景技術】
【０００２】
従来、オーディオデータの記録再生装置として用いられると共に、パーソナルコンピュータ等のストレージ装置としても用いられるようになされたディスクドライブ装置をパーソナルコンピュータに接続した際、ディスクドライブ装置のオーディオデータ記録再生機能を用いるか、ストレージ機能を用いるかを、パーソナルコンピュータ上の特定アプリケーションの起動の有無で自動的に切り換えるようになされたものがある（例えば、特許文献１参照）。
【特許文献１】特開2004-94815公報
【発明の開示】
【発明が解決しようとする課題】
【０００３】
ところでかかる構成のディスクドライブ装置においては、パーソナルコンピュータに接続された場合、パーソナルコンピュータがマスターとなり、ディスクドライブ装置がスレーブとなって、当該ディスクドライブ装置が一般的にはストレージ機器として取り扱われるため、スレーブ側のディスクドライブ装置からマスター側のパーソナルコンピュータを操作することが出来なくなってしまう。
【０００４】
従ってスレーブ側のディスクドライブ装置からマスター側のパーソナルコンピュータをあえて操作するためには、特別なドライバーを要し、構成が煩雑になるという問題があった。
【０００５】
本発明は以上の点を考慮してなされたもので、簡易な構成でスレーブ側のコンテンツ出力装置からマスター側の情報処理装置を制御して当該情報処理装置に所定の機能を実行させ得る情報処理システム、コンテンツ出力装置、コンテンツ出力装置による情報処理装置制御方法及び情報処理装置制御プログラムを提案しようとするものである。
【課題を解決するための手段】
【０００６】
かかる課題を解決するため本発明においては、情報処理装置とコンテンツ出力装置とが接続された情報処理システムにおいて、コンテンツ出力装置は、ユーザのボタン操作に応じて情報処理装置により所定の機能を実行させるための機能識別ファイルを生成する機能識別ファイル生成手段と、当該機能識別ファイルを記憶手段に保持するファイル保持手段とを具え、情報処理装置は、コンテンツ出力装置が接続されたことを検出する検出手段と、コンテンツ出力装置が接続されたことを検出した後、記憶手段に保持された機能識別ファイルの有無に応じて機能を実行させるため所定のアプリケーションプログラムを起動する制御手段とを具えるようにする。
【０００７】
これにより、コンテンツ出力装置により生成した機能識別ファイルの有無を情報処理装置に判別させるだけで、その機能識別ファイルに対応付けられた所定の機能を実行させるためのアプリケーションプログラムを起動させることができる。
【０００８】
また本発明においては、情報処理装置とコンテンツ出力装置とが接続された情報処理システムにおいて、コンテンツ出力装置は、コンテンツ出力装置が所持するコンテンツを情報処理装置により記録媒体に記録させるための機能識別ファイルを生成する機能識別ファイル生成手段と、記録媒体に記録すべきコンテンツの種別が選択されると、その種別を示す種別情報が書き込まれた種別識別ファイルを生成する種別識別ファイル生成手段と、機能識別ファイル及び種別識別ファイルを記憶手段に保持するファイル保持手段とを具え、情報処理装置は、コンテンツ出力装置が接続されたことを検出する検出手段と、コンテンツ出力装置が接続されたことを検出した後、記憶手段に保持された機能識別ファイルの有無に応じて記録媒体にコンテンツを記録させるための所定のアプリケーションプログラムを起動し、種別識別ファイルの種別情報に従ってコンテンツの種別に対応した種類の記録媒体にコンテンツ出力装置が所持するコンテンツを記録する制御手段とを具えるようにする。
【０００９】
これにより、コンテンツ出力装置により生成した機能識別ファイルの有無を情報処理装置に判別させるとともに、種別識別ファイルの種別情報に従ってコンテンツの種別に対応した種類の記録媒体にコンテンツ出力装置が所持するコンテンツを記録させることができる。
【発明の効果】
【００１０】
本発明によれば、コンテンツ出力装置により生成した機能識別ファイルの有無を情報処理装置に判別させるだけで、その機能識別ファイルに対応付けられた所定の機能を実行させるためのアプリケーションプログラムを起動することができ、かくして簡易な構成でコンテンツ出力装置から情報処理装置を制御して所定の機能を実行させ得る情報処理システム、コンテンツ出力装置、コンテンツ出力装置による情報処理装置制御方法及び情報処理装置制御プログラムを実現することができる。
【００１１】
また本発明によれば、コンテンツ出力装置により生成した機能識別ファイルの有無を情報処理装置に判別させるとともに、種別識別ファイルの種別情報に従ってコンテンツの種別に対応した種類の記録媒体にコンテンツ出力装置が所持するコンテンツを記録させ得る情報処理システム、コンテンツ出力装置、コンテンツ出力装置による情報処理装置制御方法及び情報処理装置制御プログラムを実現することができる。
【発明を実施するための最良の形態】
【００１２】
以下、図面について、本発明の一実施の形態を詳述する。
【００１３】
（１）第１の実施の形態
（１−１）情報処理システムの全体構成
図１に示すように、１は全体として情報処理システムを示し、撮影した動画ファイルや静止画ファイルを内蔵のハードディスクドライブに格納するＨＤＤ(Hard Disc Drive)ビデオカメラ２と、当該ＨＤＤビデオカメラ２とＵＳＢ(Universal Serial Bus)ケーブル３等の通信インタフェースを介して接続されるパーソナルコンピュータ４とから構成されている。
【００１４】
パーソナルコンピュータ４は、ＵＳＢケーブル３を介してＨＤＤビデオカメラ２と接続されると、自身がマスターとなって当該ＨＤＤビデオカメラ２を単なるストレージ機器として扱うようになされており、当該パーソナルコンピュータ４のアプリケーションプログラムを用いてＨＤＤビデオカメラ２の動画ファイルや静止画ファイルを取り込んでバックアップしたり、当該ＨＤＤビデオカメラ２の動画ファイルや静止画ファイルに基づく画像を印刷することができるようになされている。
【００１５】
すなわちＨＤＤビデオカメラ２とパーソナルコンピュータ４とがＵＳＢケーブル３を介して相互に接続されると、当該パーソナルコンピュータ４がマスターとなり、ＨＤＤビデオカメラ２がスレーブとなる関係が構築され、一般的にはＨＤＤビデオカメラ２からパーソナルコンピュータを制御することは出来なくなる。
【００１６】
しかしながら第１の実施の形態における情報処理システム１では、スレーブ側となるＨＤＤビデオカメラ２からマスター側となるパーソナルコンピュータ４を間接的に制御することにより、パーソナルコンピュータ４の主導によることなく、ＨＤＤビデオカメラ２の動画ファイルや静止画ファイルをパーソナルコンピュータ４にコピーさせたり、ＨＤＤビデオカメラ２の動画ファイルや静止画ファイルをパーソナルコンピュータ４を介してＤＶＤに記録させ得るようになされている。
【００１７】
なお情報処理システム１では、ＨＤＤビデオカメラ２とパーソナルコンピュータ４とをＵＳＢケーブル３等の通信インタフェースによって有線接続するようにしたが、必ずしもこれに限るものではなく、ブルートゥースモジュール（登録商標）やIEEE(Institute of Electrical and Electronics Engineers)802.11g等の無線通信インタフェースによって無線接続することも可能である。
【００１８】
（１−２）ＨＤＤビデオカメラの回路構成
図２に示すようにＨＤＤビデオカメラ２は、図示しないバッテリから供給される電力に基づいて動作し、ＣＰＵ(Central Processing Unit)１０がＲＯＭ(Read Only Memory)１１から読み出した基本プログラムや各種アプリケーションプログラム等をＲＡＭ(Random Access Memory)１２に展開することにより当該ＨＤＤビデオカメラ２全体を統括制御し、操作ボタン群１３に対するユーザの押下操作に応じて一般的な撮影処理、再生処理及び編集処理等を実行し得るようになされている。
【００１９】
実際上、ＨＤＤビデオカメラ２のＣＰＵ１０は、操作ボタン群１３に対するユーザの押下操作に応じてユーザ所望の被写体を撮影する際、ＣＣＤ(Charge Coupled Device)カメラ１４により撮像された映像データＳ１に対し、画像処理部１５により所定の画像処理を施すことにより映像データＳ２に変換する。
【００２０】
このとき同時にＨＤＤビデオカメラ２のＣＰＵ１０は、マイクロフォン１７によって集音した音声データＳ３を音声処理部１８によって所定の音声処理を施すことにより音声データＳ４に変換する。
【００２１】
そしてＨＤＤビデオカメラ２のＣＰＵ１０は、映像データＳ２と音声データＳ４とを対応させた状態の動画ファイルＤＦを生成し、これをハードディスクドライブ１６に格納するようになされている。
【００２２】
なおＨＤＤビデオカメラ２のＣＰＵ１０は、ＣＣＤカメラ１４によって静止画データＳ５を撮像した場合、その静止画データＳ５を画像処理部１５により所定の画像処理を施すことにより静止画データＳ６に変換し、これを静止画ファイルＳＦとしてハードディスクドライブ１６に格納する。
【００２３】
またＨＤＤビデオカメラ２のＣＰＵ１０は、操作ボタン群１３に対するユーザの押下操作に応じてユーザ所望の動画ファイルＤＦ又は静止画ファイルＳＦをＨＤＤ１６から再生し、その動画ファイルＤＦの動画像や静止画ファイルＳＦの静止画をＬＣＤ(Liquid Crystal Display)１９に表示し得るようになされている。
【００２４】
さらにＨＤＤビデオカメラ２のＣＰＵ１０は、ＵＳＢインタフェース２０からＵＳＢケーブル３（図１）を介してパーソナルコンピュータ４と接続されるようになされており、ＨＤＤビデオカメラ２の動画ファイルＤＦや静止画ファイルＳＦをパーソナルコンピュータ４に順次データ転送してコピーさせたり、ＨＤＤビデオカメラ２の動画ファイルＤＦや静止画ファイルＳＦをパーソナルコンピュータ４を介して例えばＤＶＤ(Digital Versatile Disc)等の着脱自在な記録媒体に記録させ得るようになされている。因みに、記録媒体としては、ＤＶＤに限るものではなく、ＣＤ−Ｒ(Compact Disc-Recordable)やフラッシュメモリ等を用いることも可能である。
【００２５】
（１−３）パーソナルコンピュータの回路構成
図３に示すようにパーソナルコンピュータ４は、ＣＰＵ３０がＲＯＭ３１又はハードディスクドライブ３４から読み出した基本プログラムや各種アプリケーションプログラム等をＲＡＭ３２に展開することにより当該パーソナルコンピュータ４全体を統括制御し、キーボード３５等に対するユーザの入力操作に応じた種々の処理を実行し得ると共に、その処理結果をバス３３を介して接続されたモニタ３６に対して表示させ得るようになされている。
【００２６】
またパーソナルコンピュータ４は、ＤＶＤドライブ３７を有しており、当該ＤＶＤドライブ３７に装填されたＤＶＤを再生し、その再生結果をモニタ３６に表示したり、ＵＳＢインタフェース３８からＵＳＢケーブル３（図１）を介して接続されたＨＤＤビデオカメラ２から取り込んだ動画ファイルＤＦや静止画ファイルＳＦをハードディスクドライブ３４に書き込んだり、ＤＶＤドライブ３７によりＤＶＤに動画ファイルＤＦや静止画ファイルＳＦを記録し得るようになされている。
【００２７】
（１−４）ＨＤＤビデオカメラからのＤＶＤ作成処理シーケンス
次に、情報処理システム１のＨＤＤビデオカメラ２がパーソナルコンピュータ４とＵＳＢケーブル３を介して接続された場合、スレーブ側のＨＤＤビデオカメラ２からマスター側のパーソナルコンピュータ４を間接的に制御し、ＨＤＤビデオカメラ２の動画ファイルＤＦや静止画ファイルＳＦをパーソナルコンピュータ４のＤＶＤドライブ３７によりＤＶＤに記録する一連のＤＶＤ作成処理シーケンスについて説明する。
【００２８】
図４に示すように、ＨＤＤビデオカメラ２のＣＰＵ１０は、ステップＳＰ１においてＵＳＢケーブル３を介してパーソナルコンピュータ４と電気的（物理的）に接続されたことを認識すると、次のステップＳＰ２へ移る。
【００２９】
このときＨＤＤビデオカメラ２のＣＰＵ１０は、パーソナルコンピュータ４と電気的（物理的）に接続されたことに応じて、図５に示すようなポップアップウィンドウＰＷ１をＬＣＤ１９（図２）に表示する。
【００３０】
このポップアップウィンドウＰＷ１では、「パーソナルコンピュータと接続します」との文字が表示されるようになされており、ＨＤＤビデオカメラ２とパーソナルコンピュータ４とが電気的（物理的）に接続されたとはいえ論理的には未だ接続されていない状態、すなわち当該ＨＤＤビデオカメラ２がパーソナルコンピュータ４のスレーブにはなっておらず、独立して各種処理を実行し得ることを表している。
【００３１】
またポップアップウィンドウＰＷ１は、「パーソナルコンピュータと接続します」の文字の下部に、タッチ操作可能な「単純コピー」ボタンＰ１及び「ＤＶＤ作成」ボタンＰ２が設けられており、ＨＤＤビデオカメラ２のユーザに対して、ＨＤＤビデオカメラ２で撮影した動画ファイルＤＦや静止画ファイルＳＦをパーソナルコンピュータ４へ転送して単純コピーさせるか、或いは動画ファイルＤＦや静止画ファイルＳＦをパーソナルコンピュータ４へ転送して記録させることにより動画ファイルＤＦや静止画ファイルＳＦの格納されたＤＶＤを作成させるかの何れかを選択させ得るようになされている。
【００３２】
ステップＳＰ２においてＨＤＤビデオカメラ２のＣＰＵ１０は、ポップアップウィンドウＰＷ１の「ＤＶＤ作成」ボタンＰ２がユーザによってタッチ操作されたか否かを判定し、肯定結果が得られると次のステップＳＰ３へ移る。
【００３３】
ステップＳＰ３においてＨＤＤビデオカメラ２のＣＰＵ１０は、「ＤＶＤ作成」ボタンＰ２に対するユーザのタッチ操作に応じて、パーソナルコンピュータ４に認識させるための所定の機能識別ファイル「DVDBURN.IND」を生成した後、これをハードディスクドライブ１６上に保持し、次のステップＳＰ４へ移る。
【００３４】
ここでＨＤＤビデオカメラ２のＣＰＵ１０は、図６に示すように、機能識別ファイル「DVDBURN.IND」を生成するにあたって、動画ファイルＤＦ及びコンテンツ情報管理ファイルＩＦ(「INDEX0001.ANP」「INDEX0001.ANT」、「INDEX0001.ANM」等のINDEX FILE)を格納している「MP_ROOT」フォルダ、及び静止画ファイルＳＦ（「DSC00001.JPG」、「DSC00002.JPG」、「DSC00003.JPG」）等を格納している「ＤＣＩＭ」フォルダと並列に、すなわちルートディレクトリの直下に、当該機能識別ファイル「DVDBURN.IND」を配置したファイルシステムＦＳ１を保持している。
【００３５】
因みに、コンテンツ情報管理ファイルＩＦには、プレイリスト、サムネイル画像、メタデータ等、コンテンツの管理に必要な情報が格納されている。また「100PNV01」フォルダの中にある「.MPG」の拡張子が付くファイル（「M2U00001.MPG」、「M2U00002.MPG」、「M2U00003.MPG」、……、）の動画データがそれぞれ格納されている。
【００３６】
ＨＤＤビデオカメラ２は、ルートディレクトリの直下に当該機能識別ファイル「DVDBURN.IND」を配置しているので、パーソナルコンピュータ４のＣＰＵ３０が当該ファイルシステムＦＳ１を参照する際、ルートディレクトリから階層的に深く潜ることなく、ルートディレクトリから瞬時に機能識別ファイル「DVDBURN.IND」にアクセスし得、当該機能識別ファイル「DVDBURN.IND」の有無を短時間かつ容易に確認させ得るようになされている。
【００３７】
ところでステップＳＰ２で否定結果が得られると、このことは「ＤＶＤ作成」ボタンＰ２がユーザによってタッチ操作されていないため、当該機能識別ファイル「DVDBURN.IND」を生成することなく、次のステップＳＰ４へ移る。
【００３８】
ステップＳＰ４においてＨＤＤビデオカメラ２のＣＰＵ１０は、当該ＨＤＤビデオカメラ２とパーソナルコンピュータ４とを論理的に接続することにより、マスター側のパーソナルコンピュータ４とスレーブ側のＨＤＤビデオカメラ２とによるマスタースレーブ関係を構築し、次のステップＳＰ５へ移る。
【００３９】
ステップＳＰ５においてパーソナルコンピュータ４のＣＰＵ３０は、ＨＤＤビデオカメラ２が当該パーソナルコンピュータ４と論理的に接続されたことを認識すると、次のステップＳＰ６へ移る。
【００４０】
ステップＳＰ６においてパーソナルコンピュータ４のＣＰＵ３０は、ＵＳＢケーブル３を介してＵＳＢ接続されたＨＤＤビデオカメラ２から当該ＨＤＤビデオカメラ２のファイルシステムＦＳ１をマウントし、次のステップＳＰ７へ移る。
【００４１】
ステップＳＰ７においてパーソナルコンピュータ４のＣＰＵ３０は、ＨＤＤビデオカメラ２のファイルシステムＦＳ１を参照することにより、当該ファイルシステムＦＳ１の中に機能識別ファイル「DVDBURN.IND」が存在するか否かを判別し、肯定結果が得られると次のステップＳＰ８へ移る。
【００４２】
ステップＳＰ８においてパーソナルコンピュータ４のＣＰＵ３０は、ＨＤＤビデオカメラ２のファイルシステムＦＳ１に機能識別ファイル「DVDBURN.IND」が存在することを確認したので、予めＲＡＭ２２に常駐させておいた所定の情報処理装置制御プログラムに従ってハードディスクドライブ３４からＤＶＤ作成アプリケーションプログラムを自動的に起動し、次のステップＳＰ９へ移る。
【００４３】
ステップＳＰ９においてパーソナルコンピュータ４のＣＰＵ３０は、ＤＶＤ作成アプリケーションプログラムに従って、ＨＤＤビデオカメラ２に対して動画ファイルＤＦや静止画ファイルＳＦの転送要求を行い、その転送要求に対応して当該ＨＤＤビデオカメラ２から当該動画ファイルＤＦや静止画ファイルＳＦの供給を受け、ＤＶＤドライブ３７を用いて動画ファイルＤＦや静止画ファイルＳＦを記録することにより、当該動画ファイルＤＦや静止画ファイルＳＦの格納されたファイル格納済みＤＶＤを作成し、次のステップＳＰ１２へ移る。
【００４４】
ステップＳＰ１２においてＨＤＤビデオカメラ２のＣＰＵ１０及びパーソナルコンピュータ４のＣＰＵ３０は、「ＤＶＤ作成」ボタンＰ２に対応したＤＶＤ作成処理が終ったので、当該ＨＤＤビデオカメラ２と当該パーソナルコンピュータ４との論理的な接続を切断することにより、パーソナルコンピュータ４とＨＤＤビデオカメラ２との間におけるマスタースレーブ関係を解消し、パーソナルコンピュータ４のＣＰＵ３０は次のステップＳＰ１３へ移って処理を終了する一方、ＨＤＤビデオカメラ２のＣＰＵ１０は次のステップＳＰ１４へ移る。
【００４５】
ステップＳＰ１４においてＨＤＤビデオカメラ２のＣＰＵ１０は、パーソナルコンピュータ４との論理的な接続を切断し、マスタースレーブ関係を解消したので、ファイルシステムＦＳ１の中から機能識別ファイル「DVDBURN.IND」を削除し、次のステップＳＰ１５へ移って全ての処理を終了する。但し、ステップＳＰ１２及びステップＳＰ１４の処理に関しては必ず実行しなければならないというものではなく、必要に応じて実行するようにしても良い。
【００４６】
ところで、ステップＳＰ７において否定結果が得られると、このことはＨＤＤビデオカメラ２のファイルシステムＦＳ１に機能識別ファイル「DVDBURN.IND」が存在しておらず、ＤＶＤ作成アプリケーションプログラムを起動する必要がないことを表しており、このときパーソナルコンピュータ４のＣＰＵ３０は次のステップＳＰ１０へ移る。
【００４７】
ステップＳＰ１０においてパーソナルコンピュータ４のＣＰＵ３０は、ＨＤＤビデオカメラ２のファイルシステムＦＳ１に機能識別ファイル「DVDBURN.IND」が存在しないため、情報処理装置制御プログラムに従い、デフォルト設定されているランチャーアプリケーションプログラムを自動的に起動し、次のステップＳＰ１１へ移る。
【００４８】
ステップＳＰ１１においてパーソナルコンピュータ４のＣＰＵ３０は、ランチャーアプリケーションプログラムに従って、図７に示すようなランチャーメニュー画面ＬＭＧ１をモニタ３６に表示する。
【００４９】
ここでランチャーメニュー画面ＬＭＧ１では、「ワンタッチＤＶＤ作成」ボタンＰ１１、差分ＰＣバックアップ」ボタンＰ１２、「画像を見る」ボタンＰ１３、「ＤＶＤオーサリング」ボタンＰ１４、「プレイリスト」ボタンＰ１５が設けられていると共に、「設定」ボタンＰ１６及び「閉じる」ボタンＰ１７が設けられている。
【００５０】
「ワンタッチＤＶＤ作成」ボタンＰ１１は、このボタンに対するユーザのワンタッチ操作によりパーソナルコンピュータ４のＣＰＵ３０がＤＶＤ作成アプリケーションプログラムを自動的に起動し、ＨＤＤビデオカメラ２の動画ファイルＤＦや静止画ファイルＳＦをＤＶＤドライブ３７を介して記録することにより、当該動画ファイルＤＦや静止画ファイルＳＦの格納されたファイル格納済みＤＶＤを作成するためのものであり、ＨＤＤビデオカメラ２のポップアップウィンドウＰＷ１における「ＤＶＤ作成」ボタンＰ２がユーザによってタッチ操作されたときと同じ処理を実行するようになされている。
【００５１】
このときパーソナルコンピュータ４のＣＰＵ３０は、未だＤＶＤに記録していないＨＤＤビデオカメラ２の動画ファイルＤＦや静止画ファイルＳＦが存在する場合に、その動画ファイルＤＦや静止画ファイルＳＦをＤＶＤに記録するようになされているため、当該ＤＶＤに記録したことのない新規な動画ファイルＤＦや静止画ファイルＳＦが存在しないときには、その旨をエラー表示するようになされている。
【００５２】
「差分ＰＣバックアップ」ボタンＰ１２は、ＨＤＤビデオカメラ２とパーソナルコンピュータ４との間で当該パーソナルコンピュータ４に取り込んでいない動画ファイルＤＦや静止画ファイルＳＦがある場合に、両者の差分に相当する部分だけをパーソナルコンピュータ４のハードディスクドライブ３４に書き込ませるためのものであり、両者に差分がない場合には、その旨をエラー表示するようになされている。
【００５３】
「画像を見る」ボタンＰ１３は、所定のブラウザを用いて動画や静止画をユーザに提示するためのものであり、パーソナルコンピュータ４のＣＰＵ３０がＨＤＤビデオカメラ２から取り込んだ動画ファイルＤＦや静止画ファイルＳＦの画像を提示したり、インターネット上のサイトからダウンロードした映像ファイルの映像を提示するようになされている。
【００５４】
「ＤＶＤオーサリング」ボタンＰ１４は、上述したＤＶＤ作成アプリケーションプログラムを用いて動画ファイルＤＦや静止画ファイルＳＦをＤＶＤに記録する際、どの画像を用いるか等の編集作業をユーザに実行させるためのものであり、ＨＤＤビデオカメラ２の動画ファイルＤＦや静止画ファイルＳＦをそのままＤＶＤに記録するのではなく、画像編集した上でファイル格納済みＤＶＤを作成することができるようになされている。
【００５５】
「プレイリスト」ボタンＰ１５は、ＨＤＤビデオカメラ２が所有するプレイリストに従った順番で動画ファイルＤＦや静止画ファイルＳＦをＤＶＤに記録するためのものであり、ＨＤＤビデオカメラ２にプレイリストが存在するときには、ＪＰＥＧ規格に従って圧縮された静止画ファイルＳＦをＭＰＥＧ２規格に従って圧縮し、動画ファイルＤＦと同じ扱いにしてＤＶＤに記録するのに対し、プレイリストが存在しないときにはＪＰＥＧ規格の静止画ファイルＳＦをそのままＤＶＤに記録する。
【００５６】
すなわちパーソナルコンピュータ４のＣＰＵ２０は、プレイリストに従って動画ファイルＤＦや静止画ファイルＳＦをＤＶＤに記録するときには、ＪＰＥＧ規格の静止画ファイルＳＦについても動画ファイルＤＦと同じＭＰＥＧ２規格に変換して記録することになるため、ＭＰＥＧ２規格の動画像しか再生することの出来ないＤＶＤプレーヤによっても静止画ファイルＳＦを再生させ得るようになされている。
【００５７】
また「設定」ボタンＰ１６は、ＤＶＤに動画ファイルＤＦや静止画ファイルＳＦを順次記録する際の詳細設定を変更することができるようにしたものであり、「閉じる」ボタンＰ１７はランチャーメニュー画面ＬＭＧ１を終了させるためのものである。
【００５８】
（１−５）第１の実施の形態における動作及び効果
以上の構成において、第１の実施の形態における情報処理システム１は、ＨＤＤビデオカメラ２のＬＣＤ１９に表示したポップアップウィンドウＰＷ１の「ＤＶＤ作成」ボタンＰ２がユーザによってタッチ操作されたときに機能識別ファイル「DVDBURN.IND」を生成してハードディスクドライブ１６に保持し、ＨＤＤビデオカメラ２とパーソナルコンピュータ４とが論理的に接続された状態で、パーソナルコンピュータ４がＨＤＤビデオカメラ２の機能識別ファイル「DVDBURN.IND」の存在を確認すると、情報処理装置制御プログラムに従ってＤＶＤ作成アプリケーションプログラムを自動的に立ち上げ、ＨＤＤビデオカメラ２から動画ファイルＤＦや静止画ファイルＳＦを取り込んでＤＶＤに記録することができる。
【００５９】
すなわちＨＤＤビデオカメラ２のユーザは、当該ＨＤＤビデオカメラ２とパーソナルコンピュータ４とが論理的に接続されることによりマスタースレーブ関係が構築され、スレーブ側のＨＤＤビデオカメラ２からマスター側のパーソナルコンピュータ４へファイル格納済みＤＶＤを作成するための命令を供給することが出来ない状況であっても、パーソナルコンピュータ４のＣＰＵ３０に機能識別ファイル「DVDBURN.IND」の存在を確認させるだけで、間接的にＤＶＤ作成命令を供給したのと同じ結果を得ることができる。
【００６０】
従ってＨＤＤビデオカメラ２のユーザにとっては、パーソナルコンピュータ４を操作したり、特別なドライバーソフトをインストールさせるといった煩雑な手間を強いることがなく、ＨＤＤビデオカメラ２に対する簡単なタッチ操作だけで、動画ファイルＤＦや静止画ファイルＳＦをパーソナルコンピュータ４へ転送してファイル格納済みＤＶＤを作成することができる。
【００６１】
またパーソナルコンピュータ４のＣＰＵ３０は、ＨＤＤビデオカメラ２のファイルシステムＦＳ１の中に機能識別ファイル「DVDBURN.IND」の存在を確認することが出来なかったときは、ランチャーメニュー画面ＬＭＧ１をモニタ３６に表示することができるので、間接的にランチャーメニュー画面ＬＭＧ１を表示させるための表示命令をパーソナルコンピュータ４へ供給したのと同じ結果を得ることができる。
【００６２】
なおパーソナルコンピュータ４のＣＰＵ３０は、ランチャーメニュー画面ＬＭＧ１の中の「ワンタッチＤＶＤ作成」ボタンＰ１１が押下操作されたときにも、ＨＤＤビデオカメラ２から動画ファイルＤＦや静止画ファイルＳＦを取り込んでＤＶＤに記録し、ファイル格納済みＤＶＤを作成することができる。従って情報処理システム１では、ビデオカメラ２及びパーソナルコンピュータ４の両方からファイル格納済みＤＶＤを作成することができるので、従来に比較して使い勝手を格段に向上させることができる。
【００６３】
以上の構成によれば、ファイル制御システム１では、パーソナルコンピュータ４とＨＤＤビデオカメラ２とがＵＳＢ接続されて、マスタースレーブの関係が構築された後についても、ＨＤＤビデオカメラ２に対するユーザの簡単なタッチ操作だけで、ＨＤＤビデオカメラ２から動画ファイルＤＦや静止画ファイルＳＦをパーソナルコンピュータ４へ転送してＤＶＤに記録させ、ファイル格納済みＤＶＤを作成することができる。
【００６４】
（２）第２の実施の形態
（２−１）情報処理システムの全体構成
図１との対応部分に同一符号を付した図８に示すように、１０１は全体として第２の実施の形態における情報処理システムを示し、ＳＤ(Standard Definition)方式又はＨＤ(High Definition)方式によって撮像可能なＨＤＤビデオカメラ１０２と、当該ＨＤＤビデオカメラ１０２とＵＳＢケーブル３等の通信インタフェースを介して接続されるパーソナルコンピュータ４とから構成されている。
【００６５】
従ってＨＤＤビデオカメラ１０２は、ＳＤ記録モードが選択されている場合、ＳＤ方式の動画ファイル（以下、これをＳＤ動画ファイルと呼ぶ）を生成して内蔵のハードディスクドライブに格納し得ると共に、ＨＤ記録モードが選択されている場合、ＨＤ方式の動画ファイル（以下、これをＨＤ動画ファイルと呼ぶ）を内蔵のハードディスクドライブに格納し得るようになされている。
【００６６】
パーソナルコンピュータ４は、ＵＳＢケーブル３を介してＨＤＤビデオカメラ１０２が接続されると、自身がマスターとなって当該ＨＤＤビデオカメラ１０２を単なるストレージ機器として扱うようになされており、当該パーソナルコンピュータ４のアプリケーションプログラムを用いてＨＤＤビデオカメラ１０２のＳＤ動画ファイル、ＨＤ動画ファイル或いは静止画ファイルを取り込んでバックアップしたり、当該ＨＤＤビデオカメラ１０２のＳＤ動画ファイル、ＨＤ動画ファイル或いは静止画ファイルに基づく画像を印刷し得るようになされている。
【００６７】
すなわちＨＤＤビデオカメラ１０２とパーソナルコンピュータ４とがＵＳＢケーブル３を介して相互に接続されると、当該パーソナルコンピュータ４がマスターとなり、ＨＤＤビデオカメラ１０２がスレーブとなるマスタースレーブ関係が構築され、一般的にはＨＤＤビデオカメラ１０２からパーソナルコンピュータを制御することは出来なくなる。
【００６８】
しかしながら第２の実施の形態における情報処理システム１０１においても、スレーブ側となるＨＤＤビデオカメラ１０２が第１の実施の形態における機能識別ファイル「DVDBURN.IND」と同様の機能識別ファイル「OTDISCBN.IND」を生成し、これをマスター側となるパーソナルコンピュータ４に読み取らせることにより当該パーソナルコンピュータ４を間接的に制御し得るようになされている。
【００６９】
また情報処理システム１０１では、スレーブ側となるＨＤＤビデオカメラ１０２のＳＤ動画ファイルやＨＤ動画ファイルをパーソナルコンピュータ４により所定の記録媒体に記録させる際、ＳＤ動画ファイルを保存対象として記録するのか、ＨＤ動画ファイルを保存対象として記録するのか、或いはＳＤ動画ファイル及びＨＤ動画ファイルの双方を保存対象として記録するのかをユーザに対してワンタッチ操作で選択させ得るようになされている。
【００７０】
このときＨＤＤビデオカメラ１０２は、保存対象としてＳＤ動画ファイルが選択されたのか、ＨＤ動画ファイルが選択されたのか、或いはＳＤ動画ファイルとＨＤ動画ファイルの双方が選択されたのかを示すコンテンツの種別情報を格納したカメラ識別ファイル「MODELCFG.IND」を生成して保持しておくようになされており、このカメラ識別ファイル「MODELCFG.IND」をパーソナルコンピュータ４に読み取らせるようになされている。
【００７１】
すなわちパーソナルコンピュータ４のＣＰＵ３０は、ＨＤＤビデオカメラ１０２が保持しているカメラ識別ファイル「MODELCFG.IND」のなかに、ＨＤ動画ファイルが保存対象として選択されたことを意味する種別情報が書き込まれていた場合、ＨＤＤビデオカメラ１０２からＨＤ動画ファイルだけを抽出し、当該ＨＤ動画ファイルを記録可能なフォーマットのブルーレイディスクに対して記録するようになされている。
【００７２】
またパーソナルコンピュータ４のＣＰＵ３０は、ＨＤＤビデオカメラ１０２が保持しているカメラ識別ファイル「MODELCFG.IND」のなかに、ＳＤ動画ファイルが保存対象として選択されたことを意味する種別情報が書き込まれていた場合、ＨＤＤビデオカメラ１０２からＳＤ動画ファイルだけを抽出し、当該ＳＤ動画ファイルを記録するのに適したＤＶＤビデオフォーマットのＤＶＤに対して記録するようになされている。
【００７３】
なおパーソナルコンピュータ４のＣＰＵ３０は、ＨＤＤビデオカメラ１０２が保持しているカメラ識別ファイル「MODELCFG.IND」のなかに、ＨＤ動画ファイル及びＳＤ動画ファイルの双方が保存対象として選択されたことを意味する種別情報が書き込まれていた場合、ＨＤＤビデオカメラ１０２からＨＤ動画ファイルだけを抽出してブルーレイディスクに記録し、その後、ディスク交換されたＤＶＤに対してＨＤＤビデオカメラ１０２からＳＤ動画ファイルだけを抽出して記録するようになされている。
【００７４】
因みに、スレーブ側となるＨＤＤビデオカメラ１０２は、パーソナルコンピュータ４を介してＳＤ動画ファイルをＤＶＤではなくブルーレイディスクに記録させたり、ＪＰＥＧ(Joint Photographic Experts Group)規格の静止画ファイルをブルーレイディスク又はＤＶＤの何れに記録させることも可能である。
【００７５】
なお情報処理システム１０１では、ＨＤＤビデオカメラ１０２とパーソナルコンピュータ４とをＵＳＢケーブル３等の通信インタフェースによって有線接続するようにしたが、必ずしもこれに限るものではなく、ブルートゥースモジュール（登録商標）やIEEE802.11g等の無線通信インタフェースによって無線接続することも可能である。
【００７６】
（２−２）ＨＤＤビデオカメラの回路構成
図２との対応部分に同一符号を付した図９に示すようにＨＤＤビデオカメラ１０２は、第１の実施の形態におけるＨＤＤビデオカメラ２と基本的な回路構成が同一であり、図示しないバッテリから供給される電力に基づいて動作し、ＣＰＵ１０がＲＯＭ１１から読み出した基本プログラムや各種アプリケーションプログラム等をＲＡＭ１２に展開することにより当該ＨＤＤビデオカメラ１０２全体を統括制御し、操作ボタン群１３に対するユーザの押下操作に応じて一般的な撮影処理、再生処理及び編集処理等を実行し得るようになされている。
【００７７】
実際上、ＨＤＤビデオカメラ１０２のＣＰＵ１０は、操作ボタン群１３に対するユーザの押下操作に応じてユーザ所望の被写体を撮影する際、ＳＤ記録モードかＨＤ記録モードの何れかを選択することが可能であり、ＣＣＤカメラ１４により撮像されたＳＤ記録モードの映像データＳ１又はＨＤ記録モードの映像データＳ１１に対し、画像処理部１５により所定の画像処理を施すことによりＳＤ映像データＳ２又はＨＤ映像データＳ１２に変換する。
【００７８】
このとき同時にＨＤＤビデオカメラ１０２のＣＰＵ１０は、マイクロフォン１７によって集音した音声データＳ３を音声処理部１８によって所定の音声処理を施すことにより音声データＳ４に変換する。
【００７９】
そしてＨＤＤビデオカメラ１０２のＣＰＵ１０は、ＳＤ記録モードが選択されている場合、ＳＤ映像データＳ２と音声データＳ４とを対応させた状態のＳＤ動画ファイルＳＤＦを生成し、これをハードディスクドライブ１６に格納する一方、ＨＤ記録モードが選択されている場合、ＨＤ映像データＳ１２と音声データＳ４とを対応させた状態のＨＤ動画ファイルＨＤＦを生成し、これらをハードディスクドライブ１６に格納するようになされている。
【００８０】
従ってＨＤＤビデオカメラ１０２では、図１０に示すように、ハードディスクドライブ１６によりＨＤ動画ファイルＨＤＦ、ＳＤ動画ファイルＳＤＦが撮影順に混在した状態でハードディスク内に格納されることになる。
【００８１】
なおＨＤＤビデオカメラ１０２のＣＰＵ１０は、ＣＣＤカメラ１４によって静止画データＳ５を撮像した場合、その静止画データＳ５を画像処理部１５により所定の画像処理を施すことにより静止画データＳ６に変換し、これを静止画ファイルＳＦとしてハードディスクドライブ１６に格納する。
【００８２】
またＨＤＤビデオカメラ１０２のＣＰＵ１０は、操作ボタン群１３に対するユーザの押下操作に応じて選択したＳＤ動画ファイルＳＤＦ、ＨＤ動画ファイルＨＤＦ又は静止画ファイルＳＦをＨＤＤ１６から再生し、そのＳＤ動画ファイルＳＤＦの動画像、ＨＤ動画ファイルＨＤＦの動画像や静止画ファイルＳＦの静止画をＬＣＤ(Liquid Crystal Display)１９に表示し得るようになされている。
【００８３】
さらにＨＤＤビデオカメラ１０２のＣＰＵ１０は、ＵＳＢインタフェース２０からＵＳＢケーブル３（図８）を介してパーソナルコンピュータ４と接続されるようになされており、ＨＤＤビデオカメラ１０２のＳＤ動画ファイルＳＤＦ、ＨＤ動画ファイルＨＤＦ或いは静止画ファイルＳＦをパーソナルコンピュータ４に順次データ転送してコピーさせたり、ＨＤＤビデオカメラ１０２のＳＤ画ファイルＳＤＦ、ＨＤ動画ファイルＨＤＦ或いは静止画ファイルＳＦをパーソナルコンピュータ４を介して例えばＤＶＤ、ブルーレイディスク等の着脱自在な記録媒体に記録させ得るようになされている。
【００８４】
因みに、ＳＤ画ファイルＳＤＦ、ＨＤ動画ファイルＨＤＦ、静止画ファイルＳＦの保存先となる記録媒体としては、ＤＶＤ、ブルーレイディスクに限るものではなく、ＨＤ(High Definition)−ＤＶＤ、ＣＤ−Ｒ(Compact Disc-Recordable)やフラッシュメモリ等のその他種々の媒体を用いることが可能である。
【００８５】
（２−３）パーソナルコンピュータの回路構成
ここで第２の実施の形態における情報処理システム１０１のパーソナルコンピュータ４については、第１の実施の形態におけるパーソナルコンピュータ４（図３）の回路構成と同一であるため、説明の便宜上省略する。
【００８６】
（２−４）ＨＤＤビデオカメラからのコンテンツ種別に合わせたディスク作成処理シーケンス
次に、情報処理システム１０１のＨＤＤビデオカメラ１０２がパーソナルコンピュータ４とＵＳＢケーブル３を介して接続された場合、スレーブ側のＨＤＤビデオカメラ１０２からマスター側のパーソナルコンピュータ４を間接的に制御し、ＨＤＤビデオカメラ１０２のＳＤ動画ファイルＳＤＦ、ＨＤ動画ファイルＨＤＦ等をパーソナルコンピュータ４のＤＶＤドライブ３７によりＤＶＤ、ブルーレイディスクに振り分けて記録させるコンテンツ種別に合わせたディスク作成処理シーケンスについて詳述するが、その前にＨＤＤビデオカメラ１０２が行う前処理手順について図１１を用いて説明する。
【００８７】
（２−４−１）ＨＤＤビデオカメラにおける前処理手順
ＨＤＤビデオカメラ１０２のＣＰＵ１０は、ルーチンＲＴ１の開始ステップから入って次のステップＳＰ２１へ移り、ＬＣＤ１９に映し出したＯＳＤ(On Screen Display)上のメニューの中からディスク作成ボタン（図示せず）に対する押下操作を認識すると、図１２に示すようなディスク作成設定用のコンテンツ種別選択画面ＳＧをＬＣＤ１９に表示し、次のステップＳＰ２２へ移る。
【００８８】
このコンテンツ種別選択画面ＳＧでは、「ワンタッチディスクの保存対象を設定します」のコメントが下方に表示されると共に、ＨＤＤビデオカメラ１０２が所持するＳＤ動画ファイルＳＤＦ、ＨＤ動画ファイルＨＤＦ及び静止画ファイルＳＦの全てをパーソナルコンピュータ４により記録媒体に記録させるための「全て」ボタンＢ１と、ＨＤ動画ファイルＨＤＦ及び静止画ファイルＳＦをパーソナルコンピュータ４により記録媒体に記録させるための「ＨＤ」ボタンＢ２と、ＳＤ動画ファイルＳＤＦ及び静止画ファイルＳＦをパーソナルコンピュータ４により記録媒体に記録させるための「ＳＤ」ボタンＢ３と、戻るボタンＢ４とが設けられている。
【００８９】
なお「全て」ボタンＢ１、「ＨＤ」ボタンＢ２及び「ＳＤ」ボタンＢ３には、それぞれ静止画ファイルＳＦを表したアイコンの隣にチェックボックスが設けられており、そのチェックボックスのチェックマークが外されることにより、静止画ファイルＳＦについては記録媒体に記録すべき保存対象から除外し得るようになされている。
【００９０】
ステップＳＰ２２においてＨＤＤビデオカメラ１０２のＣＰＵ１０は、このコンテンツ種別選択画面ＳＧの「全て」ボタンＢ１がユーザによって選択された場合、記録媒体に対する保存対象としてＳＤ動画ファイルＳＤＦ、ＨＤ動画ファイルＨＤＦ及び静止画ファイルＳＦが全て選択されたことを意味する種別情報をＲＡＭ１２に対して一時記憶し、「ＨＤ」ボタンＢ２がユーザによって選択された場合、保存対象としてＨＤ動画ファイルＨＤＦ及び静止画ファイルＳＦが選択されたことを意味する種別情報をＲＡＭ１２に対して一時記憶し、「ＳＤ」ボタンＢ３がユーザによって選択された場合、保存対象としてＳＤ動画ファイルＳＤＦ及び静止画ファイルＳＦが選択されたことを意味する種別情報をＲＡＭ１２に対して一時記憶し、次のステップＳＰ２３へ移って前処理手順を終了する。
【００９１】
（２−４−２）コンテンツの種別に合わせたディスク作成処理シーケンス
続いて、情報処理システム１０１のＨＤＤビデオカメラ１０２がパーソナルコンピュータ４とＵＳＢケーブル３を介してＵＳＢ接続された場合に、スレーブ側のＨＤＤビデオカメラ１０２からマスター側のパーソナルコンピュータ４を間接的に制御し、ＨＤＤビデオカメラ１０２によって任意に選択されたコンテンツ種別のＳＤ動画ファイルＳＤＦ、ＨＤ動画ファイルＨＤＦ或いは静止画ファイルＳＦをパーソナルコンピュータ４のＤＶＤドライブ３７によりＤＶＤ又はブルーレイディスクに振り分けて記録する一連のディスク作成処理シーケンスについて説明する。
【００９２】
図１３及び図１４に示すように、ＨＤＤビデオカメラ１０２のＣＰＵ１０は、ステップＳＰ３１においてＵＳＢケーブル３を介してパーソナルコンピュータ４と電気的（物理的）に接続されたことを認識すると、次のステップＳＰ３２へ移る。
【００９３】
このときＨＤＤビデオカメラ１０２のＣＰＵ１０は、パーソナルコンピュータ４と電気的（物理的）に接続されたことに応じて、図１５に示すようなポップアップウィンドウＰＷ２をＬＣＤ１９（図９）に表示する。
【００９４】
このポップアップウィンドウＰＷ２では、「パーソナルコンピュータと接続します」との文字が表示されるようになされており、ＨＤＤビデオカメラ１０２とパーソナルコンピュータ４とが電気的（物理的）に接続されたとはいえ論理的には未だ接続されていない状態、すなわち当該ＨＤＤビデオカメラ１０２がパーソナルコンピュータ４のスレーブにはなっておらず、独立して各種処理を実行し得ることを表している。
【００９５】
またポップアップウィンドウＰＷ２は、「パーソナルコンピュータと接続します」の文字の下部に、タッチ操作可能な「パソコン接続」ボタンＰ３及び「ディスク作成」ボタンＰ４が設けられている。
【００９６】
従ってＨＤＤビデオカメラ１０２では、「パソコン接続」ボタンＰ３が選択された場合、ＨＤＤビデオカメラ１０２のユーザに対して、当該ＨＤＤビデオカメラ１０２で撮影したＳＤ動画ファイルＳＤＦ、ＨＤ動画ファイルＨＤＦ或いは静止画ファイルＳＦをパーソナルコンピュータ４に取り込ませてコピーさせ、「ディスク作成」ボタンＰ４が選択された場合、ＳＤ動画ファイルＳＤＦ、ＨＤ動画ファイルＨＤＦ或いは静止画ファイルＳＦをパーソナルコンピュータ４へ転送して記録媒体に記録させることによりＳＤ動画ファイルＳＤＦ、ＨＤ動画ファイルＨＤＦ、静止画ファイルＳＦの格納されたＤＶＤやブルーレイディスクを作成させ得るようになされている。
【００９７】
ステップＳＰ３２においてＨＤＤビデオカメラ１０２のＣＰＵ１０は、ポップアップウィンドウＰＷ２の「ディスク作成」ボタンＰ４がユーザによってタッチ操作されたか否かを判定し、肯定結果が得られると次のステップＳＰ３３へ移る。
【００９８】
ステップＳＰ３３においてＨＤＤビデオカメラ１０２のＣＰＵ１０は、「ディスク作成」ボタンＰ４に対するユーザのタッチ操作に応じて、パーソナルコンピュータ４が認識したときにディスク作成アプリケーションプログラムを自動的に立ち上げるための機能識別ファイル「OTDISCBN.IND」と、上述の前処理手順においてＲＡＭ１２に一時記憶した種別情報を新たに書き込んだカメラ識別ファイル「MODELCFG.IND」とを生成し、これらをハードディスクドライブ１６上に保持し、次のステップＳＰ３４へ移る。
【００９９】
このカメラ識別ファイル「MODELCFG.IND」には、図１６に示すように、フィールドエリアにカメラ製造者固有のＩＤ(Identification)に関する１バイトの製造者（メーカー）情報、モデル名エリアに当該ＨＤＤビデオカメラ１０２固有の１バイトの型式番号情報、その他種々のＨＤＤビデオカメラ１０２を特徴付ける固有の属性情報に加えて、ワンタッチ設定エリアにコンテンツ種別選択画面ＳＧの「全て」ボタンＢ１、「ＨＤ」ボタンＢ２又は「ＳＤ」ボタンＢ３の何れがユーザによって選択されたかを示す種別情報が格納されている。
【０１００】
ここでＨＤＤビデオカメラ１０２のＣＰＵ１０は、図１７に示すように、ＨＤ動画コンテンツに関する種々のファイルを格納した「ＡＶＣＨＤ」フォルダ、ＳＤ動画コンテンツに関する種々のファイルを格納した「MP_ROOT」フォルダ、及び静止画ファイルＳＦ（「DSC00001.JPG」、「DSC00002.JPG」、「DSC00003.JPG」）等を格納している「ＤＣＩＭ」フォルダと並列に、すなわちルートディレクトリの直下に、上述した機能識別ファイル「OTDISCBN.IND」及びカメラ識別ファイル「MODELCFG.IND」を配置したファイルシステムＦＳ２を保持している。
【０１０１】
「ＡＶＣＨＤ」フォルダには、その下位階層に、ブルーレイディスクに関する「ＢＤＭＶ」フォルダが配置され、更に、その下位階層にはブルーレイディスク映像に関するインデックス情報ファイル「INDEX.BDM」、属性情報ファイル「MOVIEOBJ.BDM」、プレイリストファイル（「00000.MPL」、「00001.MPL」）、クリップ情報ファイル（「01000.CPI」、「02000.CPI」）及びＨＤ動画ファイルＨＤＦ（「01000.MTS」、「02000.MTS」）が位置付けられる。
【０１０２】
ＳＤ動画コンテンツに関する種々のファイルを格納した「MP_ROOT」フォルダには、プレイリスト、サムネイル画像、メタデータ等、コンテンツの管理に必要な情報が格納されたコンテンツ情報管理ファイルＳＩＦ（「INDEX0001.ANP」、「INDEX0001.ANT」、「INDEX0001.ANM」）が位置付けられ、「100PNV01」フォルダ中の「.MPG」の拡張子が付くＳＤ動画ファイルＳＤＦ（「M2U00001.MPG」、「M2U00002.MPG」、「M2U00003.MPG」、……）には、それぞれＳＤ動画データが格納されている。
【０１０３】
ＨＤＤビデオカメラ１０２は、ルートディレクトリの直下に当該機能識別ファイル「OTDISCBN.IND」及びカメラ識別ファイル「MODELCFG.IND」を配置しているので、パーソナルコンピュータ４のＣＰＵ３０が当該ファイルシステムＦＳ２を参照する際、ルートディレクトリから階層的に深く潜ることなく、ルートディレクトリから瞬時に機能識別ファイル「OTDISCBN.IND」及びカメラ識別ファイル「MODELCFG.IND」にアクセスし得、当該機能識別ファイル「DVDBURN.IND」の有無を短時間かつ容易に確認させた後、カメラ識別ファイル「MODELCFG.IND」の内容を瞬時に把握し得るようになされている。
【０１０４】
ところでステップＳＰ３２で否定結果が得られると、このことは「ディスク作成」ボタンＰ４がユーザによってタッチ操作されていないことを表しており、このときＨＤＤビデオカメラ１０２のＣＰＵ１０は、次のステップＳＰ３４へ移り、当該機能識別ファイル「OTDISCBN.IND」を生成することはないが、カメラ識別ファイル「MODELCFG.IND」については生成し、次のステップＳＰ３５へ移る。
【０１０５】
これは、「ディスク作成」ボタンＰ４がタッチ操作されていないとしても、パーソナルコンピュータ４に対してＨＤＤビデオカメラ１０２が単なるハードディスクドライブとしてではなく、ビデオカメラであることを認識させる必要があるからである。従ってパーソナルコンピュータ４は、ＨＤＤビデオカメラ１０２と接続されたときに、カメラ識別ファイル「MODELCFG.IND」を認識すると、当該カメラ識別ファイル「MODELCFG.IND」に基づいてビデオカメラの機種判別を行い、その機種に対応付けられたランチャーメニュー画面ＬＭＧ２（後述する）表示するようになされている。
【０１０６】
ステップＳＰ３５においてＨＤＤビデオカメラ１０２のＣＰＵ１０は、当該ＨＤＤビデオカメラ１０２とパーソナルコンピュータ４とを論理的に接続することにより、マスター側のパーソナルコンピュータ４とスレーブ側のＨＤＤビデオカメラ１０２とによるマスタースレーブ関係を構築し、次のステップＳＰ３６へ移る。
【０１０７】
ステップＳＰ３６においてパーソナルコンピュータ４のＣＰＵ３０は、ＨＤＤビデオカメラ１０２が当該パーソナルコンピュータ４と論理的に接続されたことを認識すると、次のステップＳＰ３７へ移る。
【０１０８】
ステップＳＰ３７においてパーソナルコンピュータ４のＣＰＵ３０は、ＵＳＢケーブル３を介してＵＳＢ接続されたＨＤＤビデオカメラ１０２から当該ＨＤＤビデオカメラ１０２のファイルシステムＦＳ２をマウントし、次のステップＳＰ３８へ移る。
【０１０９】
ステップＳＰ３８においてパーソナルコンピュータ４のＣＰＵ３０は、ＨＤＤビデオカメラ１０２のファイルシステムＦＳ２を参照することにより、当該ファイルシステムＦＳ２の中に機能識別ファイル「OTDISCBN.IND」が存在するか否かを判別し、肯定結果が得られると次のステップＳＰ３９へ移る。
【０１１０】
ステップＳＰ３９においてパーソナルコンピュータ４のＣＰＵ３０は、ＨＤＤビデオカメラ１０２のファイルシステムＦＳ２に機能識別ファイル「OTDISCBN.IND」が存在することを確認したので、予めＲＡＭ２２に常駐させておいた所定の情報処理装置制御プログラムに従ってハードディスクドライブ３４からディスク作成アプリケーションプログラムを自動的に起動し、次のステップＳＰ４０へ移る。
【０１１１】
ステップＳＰ４０においてパーソナルコンピュータ４のＣＰＵ３０は、ＨＤＤビデオカメラ１０２のＲＡＭ１２に保持されているカメラ識別ファイル「MODELCFG.IND」のワンタッチ設定エリアからコンテンツの種別情報を読み出し、次のステップＳＰ４１へ移る。
【０１１２】
ステップＳＰ４１においてパーソナルコンピュータ４のＣＰＵ３０は、コンテンツの種別情報に基づいてＨＤＤビデオカメラ１０２が所持しているＳＤ動画ファイルＳＤＦ又はＨＤ動画ファイルＨＤＦの何れが保存対象であるかを認識し、その保存対象に基づいて記録先がＨＤ動画ファイルＨＤＦ用のブルーレイディスクであるか否かを判定する。
【０１１３】
すなわちパーソナルコンピュータ４のＣＰＵ３０は、保存対象がＨＤ動画ファイルＨＤＦであれば、記録先がＨＤ動画ファイルＨＤＦに最も適したブルーレイディスクであると認識し、保存対象がＳＤ動画ファイルＳＤＦであれば、記録先がＳＤ動画ファイルＳＤＦに最も適したＤＶＤであると認識する。
【０１１４】
ここで否定結果が得られると、保存対象がＨＤ動画ファイルＨＤＦではなく、ＳＤ動画ファイルＳＤＦであることを表しており、このときパーソナルコンピュータ４のＣＰＵ３０はステップＳＰ４３へ移る。
【０１１５】
これに対してステップＳＰ４０で肯定結果が得られると、このことは保存対象がブルーレイディスクを記録媒体として用いるのに適したＨＤ動画ファイルＨＤＦであることを表しており、このときパーソナルコンピュータ４のＣＰＵ３０は、次のステップＳＰ４２へ移る。
【０１１６】
ステップＳＰ４２においてパーソナルコンピュータ４のＣＰＵ３０は、ディスク作成アプリケーションプログラムに従い、ＨＤＤビデオカメラ１０２に対してＨＤ動画ファイルＨＤＦ及び静止画ファイルＳＦの転送要求を行い、その転送要求に対応して当該ＨＤＤビデオカメラ２から当該ＨＤ動画ファイルＨＤＦ及び静止画ファイルＳＦの供給を受け、ＤＶＤドライブ２７を用いてＨＤ動画ファイルＨＤＦ及び静止画ファイルＳＦをブルーレイディスクに記録することにより、当該ＨＤ動画ファイルＨＤＦ及び静止画ファイルＳＦの格納されたファイル格納済みブルーレイディスクを作成し、次のステップＳＰ４３へ移る。
【０１１７】
ステップＳＰ４３においてパーソナルコンピュータ４のＣＰＵ３０は、コンテンツの種別情報に基づいてＨＤＤビデオカメラ１０２が所持しているＳＤ動画ファイルＳＤＦ又はＨＤ動画ファイルＨＤＦの何れが保存対象であるかを認識し、その保存対象の記録先がＳＤ動画ファイルＳＤＦ用のＤＶＤであるか否かを判定する。
【０１１８】
ここで否定結果が得られると、保存対象がＨＤ動画ファイルＨＤＦ及びＳＤ動画ファイルＳＤＦの何れでもないことを表しており、このときパーソナルコンピュータ４のＣＰＵ３０はステップＳＰ４１へ戻ってコンテンツの種別情報を再度確認する。
【０１１９】
これに対してステップＳＰ４３で肯定結果が得られると、このことは保存対象がＤＶＤを記録媒体として用いるのに適したＳＤ動画ファイルＳＤＦであることを表しており、このときパーソナルコンピュータ４のＣＰＵ３０は、次のステップＳＰ４４へ移る。
【０１２０】
ステップＳＰ４４においてパーソナルコンピュータ４のＣＰＵ３０は、ディスク作成アプリケーションプログラムに従い、ＨＤＤビデオカメラ１０２に対してＳＤ動画ファイルＳＤＦ及び静止画ファイルＳＦの転送要求を行い、その転送要求に対応して当該ＨＤＤビデオカメラ１０２から当該ＳＤ動画ファイルＳＤＦ及び静止画ファイルＳＦの供給を受け、ＤＶＤドライブ２７を用いてＳＤ動画ファイルＳＤＦ及び静止画ファイルＳＦをＤＶＤビデオフォーマットに従ってＤＶＤに記録することにより、当該ＳＤ動画ファイルＳＤＦ及び静止画ファイルＳＦの格納されたファイル格納済みＤＶＤを作成し、次のステップＳＰ４７へ移る。
【０１２１】
ステップＳＰ４７においてＨＤＤビデオカメラ１０２のＣＰＵ１０及びパーソナルコンピュータ４のＣＰＵ３０は、「ディスク作成」ボタンＰ４に応じ、コンテンツ種別に対応したディスク作成処理が終了したので、当該ＨＤＤビデオカメラ１０２と当該パーソナルコンピュータ４との論理的な接続を切断することにより、パーソナルコンピュータ４とＨＤＤビデオカメラ１０２との間におけるマスタースレーブ関係を解消し、パーソナルコンピュータ４のＣＰＵ３０は次のステップＳＰ５０へ移って処理を終了する一方、ＨＤＤビデオカメラ１０２のＣＰＵ１０は次のステップＳＰ４８へ移る。
【０１２２】
ステップＳＰ４８においてＨＤＤビデオカメラ１０２のＣＰＵ１０は、パーソナルコンピュータ４との論理的な接続を切断し、マスタースレーブ関係を解消したので、ファイルシステムＦＳ２の中から機能識別ファイル「OTDISCBN.IND」及びカメラ識別ファイル「MODELCFG.IND」を削除し、次のステップＳＰ４９へ移って処理を終了する。但し、ステップＳＰ４７及びステップＳＰ４８の処理に関しては必ず実行しなければならないというものではなく、必要に応じて実行するようにしても良い。
【０１２３】
これにより、ＨＤＤビデオカメラ１０２は、パーソナルコンピュータ４とＵＳＢ接続されたときに、ユーザの意思とは無関係にディスク作成処理が行われてしまうことを未然に防止し得るようになされている。
【０１２４】
ところで、ステップＳＰ３８において否定結果が得られると、このことはＨＤＤビデオカメラ１０２のファイルシステムＦＳ２に機能識別ファイル「OTDISCBN.IND」が存在しておらず、ディスク作成アプリケーションプログラムを起動する必要がないことを表しており、このときパーソナルコンピュータ４のＣＰＵ３０は次のステップＳＰ４５へ移る。
【０１２５】
ステップＳＰ４５においてパーソナルコンピュータ４のＣＰＵ３０は、ＨＤＤビデオカメラ１０２のファイルシステムＦＳ２に機能識別ファイル「OTDISCBN.IND」が存在せず、カメラ識別ファイル「MODELCFG.IND」だけを確認したので、情報処理装置制御プログラムに従い、デフォルト設定されているランチャーアプリケーションプログラムを自動的に起動し、次のステップＳＰ４６へ移る。
【０１２６】
ステップＳＰ４６においてパーソナルコンピュータ４のＣＰＵ３０は、ランチャーアプリケーションプログラムに従って、図７との対応部分に同一符号を付した図１８に示すようなランチャーメニュー画面ＬＭＧ２をモニタ３６に表示する。このランチャーメニュー画面ＬＭＧ２は、ランチャーメニュー画面ＬＭＧ１の「ワンタッチＤＶＤ作成」ボタンＰ１１の代わりに、「ワンタッチディスク作成」ボタンＰ２１が設けられている点を除いて共通である。
【０１２７】
このランチャーメニュー画面ＬＭＧ２では、「ワンタッチディスク作成」ボタンＰ２１に対するユーザのワンタッチ操作によりパーソナルコンピュータ４のＣＰＵ３０がディスク作成アプリケーションプログラムを自動的に起動し、上述のコンテンツ種別に合わせたディスク作成処理シーケンス（図１３及び図１４）に従って、ＨＤＤビデオカメラ１０２のＳＤ動画ファイルＳＤＦ、ＨＤ動画ファイルＨＤＦ、静止画ファイルＳＦをＤＶＤドライブ３７を介してＤＶＤ又はブルーレイディスクに振り分けて記録することにより、当該ＳＤ動画ファイルＳＤＦ、ＨＤ動画ファイルＨＤＦ、静止画ファイルＳＦが格納されたファイル格納済みＤＶＤ又はファイル格納済みブルーレイディスクをユーザの好みに合わせて作成し得るようになされており、ＨＤＤビデオカメラ１０２のポップアップウィンドウＰＷ２における「ディスク作成」ボタンＰ４がユーザによってタッチ操作されたときに、ステップＳＰ３３以降の処理を実行するようになされている。
【０１２８】
このときパーソナルコンピュータ４のＣＰＵ３０は、未だ記録媒体に記録していないＨＤＤビデオカメラ１０２のＳＤ動画ファイルＳＤＦ、ＨＤ動画ファイルＨＤＦ、静止画ファイルＳＦが存在する場合に、そのＳＤ動画ファイルＳＤＦ、ＨＤ動画ファイルＨＤＦ、静止画ファイルＳＦをＤＶＤ又はブルーレイディスクに記録するようになされているため、当該ＤＶＤ又はブルーレイディスクに記録したことのない新規なＳＤ動画ファイルＳＤＦ、新規なＨＤ動画ファイルＨＤＦ、新規な静止画ファイルＳＦが存在しないときには、その旨をエラー表示するようになされている。
【０１２９】
またパーソナルコンピュータ４のＣＰＵ３０は、「差分ＰＣバックアップ」ボタンＰ１２に対するユーザのワンタッチ操作に応じて、ＨＤＤビデオカメラ１０２とパーソナルコンピュータ４との間で当該パーソナルコンピュータ４に取り込んでいないＳＤ動画ファイルＳＤＦ、ＨＤ動画ファイルＨＤＦ、静止画ファイルＳＦがある場合に、両者の差分に相当する部分だけをパーソナルコンピュータ４のハードディスクドライブ３４やＤＶＤ又はブルーレイディスクに書き込ませるためのものであり、両者に差分がない場合には、その旨をエラー表示するようになされている。
【０１３０】
なおパーソナルコンピュータ４のＣＰＵ３０は、ランチャーメニュー画面ＬＭＧ２の「画像を見る」ボタンＰ１３がユーザによってワンタッチ操作された場合、ＨＤＤビデオカメラ１０２から取り込んだＳＤ動画ファイルＳＤＦ、ＨＤ動画ファイルＨＤＦ、静止画ファイルＳＦの画像を提示したり、インターネット上のサイトからダウンロードした映像ファイルの映像を提示するようになされている。
【０１３１】
更にパーソナルコンピュータ４のＣＰＵ３０は、「ＤＶＤオーサリング」ボタンＰ１４がユーザによってワンタッチ操作された場合、上述したディスク作成アプリケーションプログラムを用いてＳＤ動画ファイルＳＤＦ、ＨＤ動画ファイルＨＤＦ、静止画ファイルＳＦをＤＶＤ又はブルーレイディスクに記録する際、どの画像（シーン）を用いるか等の編集作業をユーザに実行させるようになされており、ＨＤＤビデオカメラ１０２のＳＤ動画ファイルＳＤＦ、ＨＤ動画ファイルＨＤＦ及び静止画ファイルＳＦをそのままＤＶＤ又はブルーレイディスクに記録するのではなく、画像編集した上でファイル格納済みＤＶＤ又はファイル格納済みブルーレイディスクを作成し得るようになされている。
【０１３２】
更にパーソナルコンピュータ４のＣＰＵ３０は、「プレイリスト」ボタンＰ１５がユーザによってワンタッチ操作された場合、ＨＤＤビデオカメラ１０２が所有するプレイリストに従った順番でＳＤ動画ファイルＳＤＦ、ＨＤ動画ファイルＨＤＦ及び静止画ファイルＳＦをＤＶＤ又はブルーレイディスクにそれぞれ記録するためのものであり、ＨＤＤビデオカメラ１０２にプレイリストが存在するときには、ＪＰＥＧ規格に従って圧縮された静止画ファイルＳＦをＭＰＥＧ２規格に従って圧縮し、ＳＤ動画ファイルＳＤＦ又はＨＤ動画ファイルＨＤＦと同じ扱いにしてＤＶＤ又はブルーレイディスクに記録するのに対し、プレイリストが存在しないときにはＪＰＥＧ規格の静止画ファイルＳＦをそのままＤＶＤ又はブルーレイディスクに記録するようになされている。
【０１３３】
すなわちパーソナルコンピュータ４のＣＰＵ２０は、プレイリストに従ってＳＤ動画ファイルＳＤＦ、ＨＤ動画ファイルＨＤＦ、静止画ファイルＳＦをＤＶＤ又はブルーレイディスクにそれぞれ記録するときには、ＪＰＥＧ規格の静止画ファイルＳＦについてもＳＤ動画ファイルＳＤＦ又はＨＤ動画ファイルＨＤＦと同じＭＰＥＧ２規格に変換して記録することになるため、ＭＰＥＧ２規格の動画像しか再生することの出来ない光ディスクプレーヤによっても静止画ファイルＳＦを再生させ得るようになされている。
【０１３４】
因みにパーソナルコンピュータ４のＣＰＵ３０は、プレイリストが存在しないときにＪＰＥＧ規格の静止画ファイルＳＦをそのままＤＶＤ又はブルーレイディスクに記録したときであっても、ＭＰＥＧ２規格の動画像しか再生することの出来ない光ディスクプレーヤでなければ、その静止画ファイルＳＦを再生してモニタ３６に表示することは出来る。
【０１３５】
最後にパーソナルコンピュータ４のＣＰＵ３０は、「設定」ボタンＰ１６に対するユーザのワンタッチ操作に応じて、ＳＤ動画ファイルＳＤＦ、ＨＤ動画ファイルＨＤＦ、静止画ファイルＳＦをＤＶＤ又はブルーレイディスクにそれぞれ記録する際の詳細設定を変更することが可能であり、「閉じる」ボタンＰ１７に対するユーザのワンタッチ操作に応じてランチャーメニュー画面ＬＭＧ２を終了させ得るようになされている。
【０１３６】
（２−５）第２の実施の形態における動作及び効果
以上の構成において、第２の実施の形態における情報処理システム１０１は、ＨＤＤビデオカメラ１０２のＬＣＤ１９に表示したポップアップウィンドウＰＷ２の「ディスク作成」ボタンＰ４がユーザによってタッチ操作されたときに機能識別ファイル「OTDISCBN.IND」を生成してハードディスクドライブ１６に保持するとともに、パーソナルコンピュータ４によって記録させるべきコンテンツの種別を意味する種別情報が書き込まれたカメラ識ファイル「MODELCFG.IND」を生成してハードディスクドライブ１６に保持する。
【０１３７】
従ってＨＤＤビデオカメラ１０２は、この段階で、パーソナルコンピュータ４を間接的に制御し得る準備が完了し、当該ＨＤＤビデオカメラ１０２とパーソナルコンピュータ４とが論理的に接続された状態で、パーソナルコンピュータ４がＨＤＤビデオカメラ１０２の機能識別ファイル「OTDISCBN.IND」の存在を確認すると、情報処理装置制御プログラムに従ってディスク作成アプリケーションプログラムを自動的に立ち上げ、カメラ識ファイル「MODELCFG.IND」の種別情報に応じてＨＤＤビデオカメラ１０２からＳＤ動画ファイルＳＤＦ、ＨＤ動画ファイルＨＤＦ、静止画ファイルＳＦを取り込み、ＤＶＤ又はブルーレイディスクに振り分けて記録することができる。
【０１３８】
すなわちＨＤＤビデオカメラ１０２のユーザは、当該ＨＤＤビデオカメラ１０２とパーソナルコンピュータ４とが論理的に接続されることによりマスタースレーブ関係が構築され、スレーブ側のＨＤＤビデオカメラ１０２からマスター側のパーソナルコンピュータ４へファイル格納済みディスクを作成するための命令を供給することが出来ない状況であっても、パーソナルコンピュータ４のＣＰＵ３０に機能識別ファイル「OTDISCBN.IND」の存在を確認させ、かつカメラ識ファイル「MODELCFG.IND」の種別情報を読み取らせるだけで、ユーザ所望のコンテンツをＤＶＤ又はブルーレイディスクに振り分けて自動的に記録させるための命令を間接的に供給したのと同じ結果を得ることができる。
【０１３９】
従ってＨＤＤビデオカメラ１０２のユーザにとっては、パーソナルコンピュータ４を操作したり、特別なドライバーソフトをインストールさせるといった煩雑な手間を強いることがなく、ＨＤＤビデオカメラ１０２に対するタッチ操作だけで、ＳＤ動画ファイルＳＤＦ、ＨＤ動画ファイルＨＤＦ、静止画ファイルＳＦをパーソナルコンピュータ４へ転送して、ファイル格納済みＤＶＤ又はファイル格納済みブルーレイディスクを作成することができる。
【０１４０】
またパーソナルコンピュータ４のＣＰＵ３０は、ＨＤＤビデオカメラ１０２のファイルシステムＦＳ２の中に機能識別ファイル「OTDISCBN.IND」の存在を確認することが出来なかったときは、カメラ識ファイル「MODELCFG.IND」に対応付けられたランチャーメニュー画面ＬＭＧ２をモニタ３６に表示することができるので、間接的にランチャーメニュー画面ＬＭＧ２を表示させるための表示命令をパーソナルコンピュータ４へ供給したのと同じ結果を得ることができる。
【０１４１】
なおパーソナルコンピュータ４のＣＰＵ３０は、ランチャーメニュー画面ＬＭＧ２の中の「ワンタッチディスク作成」ボタンＰ２１が押下操作されたときにも、ＨＤＤビデオカメラ１０２からＳＤ動画ファイルＳＤＦ、ＨＤ動画ファイルＨＤＦ、静止画ファイルＳＦを取り込んでＤＶＤ又はブルーレイディスクに記録し、ファイル格納済みＤＶＤ又はファイル格納済みブルーレイディスクを作成することができる。従って情報処理システム１０１では、ビデオカメラ１０２及びパーソナルコンピュータ４の両方からファイル格納済みブルーレイディスク又はファイル格納済みＤＶＤを作成することができるので、従来に比較して使い勝手を格段に向上させることができる。
【０１４２】
さらにパーソナルコンピュータ４のＣＰＵ３０は、ＨＤＤビデオカメラ１０２とパーソナルコンピュータ４との間で当該パーソナルコンピュータ４に取り込んでいないＳＤ動画ファイルＳＤＦ、ＨＤ動画ファイルＨＤＦ及び静止画ファイルＳＦが存在する場合、両者の差分に相当する部分だけを抽出してＤＶＤ又はブルーレイディスクに書き込ませることができるので、ＤＶＤ又はブルーレイディスクに同じコンテンツを重複記録してしまうことを未然に回避して記録媒体を効率的に使用することができる。
【０１４３】
以上の構成によれば、ファイル制御システム１０１では、パーソナルコンピュータ４とＨＤＤビデオカメラ１０２とがＵＳＢ接続されて、マスタースレーブの関係が構築された後についても、ＨＤＤビデオカメラ１０２に対するユーザの簡単なタッチ操作だけで、ＨＤＤビデオカメラ１０２からＳＤ動画ファイルＳＤＦ、ＨＤ動画ファイルＨＤＦ、静止画ファイルＳＦをパーソナルコンピュータ４へ転送し、コンテンツの種別に適したＤＶＤ又はブルーレイディスク振り分けて記録させ、ファイル格納済みＤＶＤ又はファイル格納済みブルーレイディスクを容易に作成することができる。
【０１４４】
（３）他の実施の形態
なお上述の第１の実施の形態においては、情報処理システム１においてパーソナルコンピュータ４に接続される対象として動画ファイルＤＦや静止画ファイルＳＦをハードディスクドライブ１６に格納するハードディスクドライブ内蔵型のＨＤＤビデオカメラ２を用いるようにした場合について述べたが、本発明はこれに限らず、パーソナルコンピュータ４に接続される対象として、動画ファイルＤＦや静止画ファイルＳＦを着脱自在なビデオテープ、ＤＶＤ、半導体メモリ等に格納するビデオカメラを用いるようにしても良い。
【０１４５】
また上述の第２の実施の形態においては、情報処理システム１０１においてパーソナルコンピュータ４に接続される対象としてＳＤ動画ファイルＳＤＦ、ＨＤ動画ファイルＨＤＦ、静止画ファイルＳＦをブルーレイディスク又はＤＶＤに記録するハードディスクドライブ内蔵型のＨＤＤビデオカメラ１０２を用いるようにした場合について述べたが、本発明はこれに限らず、パーソナルコンピュータ４に接続される対象として、ＨＤ動画ファイルＨＤＦを記録可能なブルーレイディスク以外の高密度記録可能な記録媒体、ＳＤ動画ファイルＳＤＦを記録可能な半導体メモリ等の記録媒体に記録するビデオカメラを用いるようにしても良い。
【０１４６】
さらに上述の第１及び第２の実施の形態においては、ハードディスクドライブ１６が内蔵されたＨＤＤビデオカメラ２及び１０２を用いるようにした場合について述べたが、本発明はこれに限らず、ハードディスクドライブが着脱自在なビデオカメラを用いるようにしても良い。
【０１４７】
さらに上述の第１の実施の形態においては、ポップアップウィンドウＰＷ１の「ＤＶＤ作成」ボタンＰ２がユーザによりタッチ操作されたことに応じてパーソナルコンピュータ４にファイル格納済みＤＶＤを作成させるための機能識別ファイル「DVDBURN.IND」をＨＤＤビデオカメラ２が作成して保持させるようにした場合について述べたが、本発明はこれに限らず、例えばポップアップウィンドウＰＷ１に「メモリースティック（ソニー株式会社の商標）作成」ボタンを設け、当該「メモリースティック作成」ボタンが押下操作されたことに応じてパーソナルコンピュータ４にファイル格納済みメモリースティックを作成させるための機能識別ファイルを作成して保持させるようにしても良い。
【０１４８】
さらに上述の第１の実施の形態においては、ポップアップウィンドウＰＷ１の「ＤＶＤ作成」ボタンＰ２をユーザに対してタッチ操作させるようにした場合について述べたが、本発明はこれに限らず、ＨＤＤビデオカメラ２の筐体部分に専用の「ＤＶＤ作成」ボタンをハードウェアとして設け、これをユーザに対して押下操作させるようにしても良い。
【０１４９】
さらに上述の第２の実施の形態においては、ポップアップウィンドウＰＷ２の「ディスク作成」ボタンＰ４をユーザに対してタッチ操作させるようにした場合について述べたが、本発明はこれに限らず、ＨＤＤビデオカメラ１０２の筐体部分に専用の「ディスク作成」ボタンをハードウェアとして設け、これをユーザに対して押下操作させるようにしても良い。
【０１５０】
さらに上述の第１及び第２の実施の形態においては、ＨＤＤビデオカメラ２又は１０２とパーソナルコンピュータ４とが電気的（物理的）に接続されたときにＨＤＤビデオカメラ２又は１０２のＬＣＤ１６にポップアップウィンドウＰＷ１又はＰＷ２を表示させるようにした場合について述べたが、本発明はこれに限らず、ＨＤＤビデオカメラ２又は１０２とパーソナルコンピュータ４とが電気的（物理的）に接続されていないときであっても、メニューから呼び出してＬＣＤ１９にポップアップウィンドウＰＷ１又はＰＷ２を表示させ、予めＨＤＤビデオカメラ２に対して機能識別ファイル「DVDBURN.IND」を作成させるようにしたり、ＨＤＤビデオカメラ１０２に対して機能識別ファイル「OTDISCBN.IND」を作成させるようにしても良い。
【０１５１】
さらに上述の第１及び第２の実施の形態においては、パーソナルコンピュータ４のＣＰＵ３０がＨＤＤビデオカメラ２のファイルシステムＦＳ１の中に機能識別ファイル「DVDBURN.IND」が存在することを確認したときや、ＨＤＤビデオカメラ１０２のファイルシステムＦＳ２の中に機能識別ファイル「OTDISCBN.IND」が存在することを確認したときに、ハードディスクドライブ２４からＤＶＤ作成アプリケーションプログラム又はディスク作成アプリケーションプログラムを自動的に起動させるための情報処理装置制御プログラムをＲＡＭ２２に予め常駐させておくようにした場合について述べたが、本発明はこれに限らず、情報処理装置制御プログラムをＣＤ−ＲＯＭやＤＶＤ等の記録媒体からインストールしたり、インターネット上のサイトからダウンロードして用いるようにしても良い。
【０１５２】
さらに上述の第１及び第２の実施の形態においては、情報処理装置としてのパーソナルコンピュータ４とスレーブ側のＨＤＤビデオカメラ２又は１０２とが接続されたことにより情報処理システム１又は１０１を構成するようにした場合について述べたが、本発明はこれに限らず、種々の機能を実現するための各種アプリケーションプログラムを起動することが可能な情報処理装置としての携帯電話機、ＰＤＡ(Personal Digital Assistant)等でなる各種電子機器と、コンテンツ出力装置としての撮像機能を持った携帯電話機、ＰＤＡ、ノートブック型パーソナルコンピュータ等の各種電子機器とが接続されることにより情報処理システムを構成するようにしても良い。
【０１５３】
さらに上述の第１の実施の形態においては、ＨＤＤビデオカメラ２からコンテンツとして動画ファイルＤＦをパーソナルコンピュータ４へデータ転送し、ＤＶＤに記録するようにした場合について述べたが、本発明はこれに限らず、静止画ファイル、音声ファイル、ゲームプログラムファイル、テキストファイル等のその他種々のコンテンツをパーソナルコンピュータ４へデータ転送し、ＤＶＤに記録するようにしても良い。
【０１５４】
さらに上述の第２の実施の形態においては、ＨＤＤビデオカメラ１０２からコンテンツとしてＳＤ動画ファイルＳＤＦ、ＨＤ動画ファイルＨＤＦ、静止画ファイルＳＦをパーソナルコンピュータ４へデータ転送し、ＤＶＤ又はブルーレイディスクに振り分けて記録するようにした場合について述べたが、本発明はこれに限らず、音声ファイル、ゲームプログラムファイル、テキストファイル等のその他種々のコンテンツをパーソナルコンピュータ４へデータ転送し、データ容量や記録フォーマットに合わせてＤＶＤ又はブルーレイディスクに振り分けて記録するようにしても良い。
【０１５５】
さらに上述の第１の実施の形態においては、ＨＤＤビデオカメラ２がパーソナルコンピュータ４と電気的（物理的）に接続された後、「ＤＶＤ作成」ボタンＰ２がタッチ操作されたときに、機能識別ファイル「DVDBURN.IND」を生成するようにして場合について述べたが、本発明はこれに限らず、ＨＤＤビデオカメラ２がパーソナルコンピュータ４と電気的に接続される前に、任意のタイミングで「ＤＶＤ作成」ボタンＰ２がタッチ操作されたときに機能識別ファイル「DVDBURN.IND」を生成するようにしても良い。
【０１５６】
さらに上述の第２の実施の形態においては、ＨＤＤビデオカメラ１０２がパーソナルコンピュータ４と電気的（物理的）に接続された後、「ディスク作成」ボタンＰ４がタッチ操作されたときに、機能識別ファイル「OTDISCBN.IND」及びカメラ識別ファイル「MODELCFG.IND」を生成するようにして場合について述べたが、本発明はこれに限らず、ＨＤＤビデオカメラ１０２がパーソナルコンピュータ４と電気的に接続される前に、任意のタイミングで「ディスク作成」ボタンＰ４がタッチ操作されたときに機能識別ファイル「OTDISCBN.IND」及びカメラ識別ファイル「MODELCFG.IND」を生成するようにしても良い。
【０１５７】
さらに上述の第２の実施の形態においては、ステップＳＰ４０においてＨＤ動画コンテンツＨＤＦを記録するのに適したブルーレイディスクであるか否かを判定し、その後のステップＳＰ４２においてＳＤ動画ファイルＳＤＦを記録するのに適したＤＶＤであるかを判定するようにした場合について述べたが、本発明はこれに限らず、ステップＳＰ４２の判定を先に行い、ステップＳＰ４０の判定を後から行うようにしても良い。
【０１５８】
さらに上述の第１及び第２の実施の形態においては、ＨＤＤビデオカメラ２又は１０２にプレイリストが存在するときには、ＪＰＥＧ規格に従って圧縮された静止画ファイルＳＦをＭＰＥＧ２規格に従って圧縮して記録し、プレイリストが存在しないときにはＪＰＥＧ規格の静止画ファイルＳＦをそのまま記録するようにした場合について述べたが、本発明はこれに限らず、プレイリストの有無に拘わらず、ＪＰＥＧ規格に従って圧縮された静止画ファイルＳＦをＭＰＥＧ２規格に従って圧縮して記録したり、ＪＰＥＧ規格の静止画ファイルＳＦをそのまま記録するようにしても良い。
【０１５９】
さらに上述の第１及び第２の実施の形態においては、コンテンツ出力装置としてのＨＤＤビデオカメラ２又は１０２を、機能識別ファイル生成手段及び種別識別ファイル生成手段としてのＣＰＵ１０、及びファイル保持手段としてのＲＡＭ１２によって構成し、情報処理装置としてのパーソナルコンピュータ４を、検出手段としてのＵＳＢインタフェース２８、制御手段としてのＣＰＵ３０によって構成するようにした場合について述べたが、本発明はこれに限らず、その他種々の回路構成でなる機能識別ファイル生成手段、種別識別ファイル生成手段及びファイル保持手段によってコンテンツ出力装置を構成し、その他種々の回路構成でなる検出手段及び制御手段によって情報処理装置を構成するようにしても良い。
【産業上の利用可能性】
【０１６０】
本発明の情報処理システム、コンテンツ出力装置、コンテンツ出力装置による情報処理装置制御方法及び情報処理装置制御プログラムは、例えばマスタースレーブ関係を構築した際のスレーブ側となる電子機器からマスター側となる電子機器を制御して所望の機能を実行させる用途に適用することができる。
【図面の簡単な説明】
【０１６１】
【図１】第１の実施の形態における情報処理システムの全体構成を示す略線的斜視図である。
【図２】第１の実施の形態におけるＨＤＤビデオカメラの回路構成を示す略線的ブロック図である。
【図３】パーソナルコンピュータの回路構成を示す略線的ブロック図である。
【図４】第１の実施の形態におけるＨＤＤビデオカメラからのＤＶＤ作成処理シーケンスを示すフローチャートである。
【図５】ＨＤＤビデオカメラのＧＵＩ画面（１）を示す略線図である。
【図６】第１の実施の形態におけるＨＤＤビデオカメラのファイルシステムを示す略線図である。
【図７】第１の実施の形態におけるランチャーメニュー画面を示す略線図である。
【図８】第２の実施の形態における情報処理システムの全体構成を示す略線的斜視図である。
【図９】第２の実施の形態におけるＨＤＤビデオカメラの回路構成を示す略線的ブロック図である。
【図１０】ＨＤＤに記録されたコンテンツの種類を示す略線図である。
【図１１】第２の実施の形態におけるＨＤＤビデオカメラの前処理手順を示すフローチャートである。
【図１２】コンテンツ種別選択画面を示す略線図である。
【図１３】第２の実施の形態におけるＨＤＤビデオカメラからのコンテンツの種別に合わせたディスク作成処理シーケンス（１）を示すフローチャートである。
【図１４】第２の実施の形態におけるＨＤＤビデオカメラからのコンテンツの種別に合わせたディスク作成処理シーケンス（２）を示すフローチャートである。
【図１５】ＨＤＤビデオカメラのＧＵＩ画面（２）を示す略線図である。
【図１６】カメラ識別ファイル「MODELCFG.IND」の内容を示す略線図である。
【図１７】第２の実施の形態におけるＨＤＤビデオカメラのファイルシステムを示す略線図である。
【図１８】第２の実施の形態におけるランチャーメニュー画面を示す略線図である。
【符号の説明】
【０１６２】
１、１０１……情報処理システム、２、１０２……ＨＤＤビデオカメラ、３……ＵＳＢケーブル、４……パーソナルコンピュータ、１０、３０……ＣＰＵ、１１、３１……ＲＯＭ、１２、３２……ＲＡＭ、１３……操作ボタン群、１４……ＣＣＤカメラ、１５……画像処理部、１６、３４……ＨＤＤ、１７……マイクロフォン、１８……音声処理部、１９……ＬＣＤ、２０、３８……ＵＳＢインタフェース、３５……キーボード、３６……モニタ、３７……ＤＶＤドライブ。
【図１】
2007200518.tif 000003
【図２】
2007200518.tif 000004
【図３】
2007200518.tif 000005
【図４】
2007200518.tif 000006
【図５】
2007200518.tif 000007
【図６】
2007200518.tif 000008
【図７】
2007200518.tif 000009
【図８】
2007200518.tif 000010
【図９】
2007200518.tif 000011
【図１０】
2007200518.tif 000012
【図１１】
2007200518.tif 000013
【図１２】
2007200518.tif 000014
【図１３】
2007200518.tif 000015
【図１４】
2007200518.tif 000016
【図１５】
2007200518.tif 000017
【図１６】
2007200518.tif 000018
【図１７】
2007200518.tif 000019
【図１８】
2007200518.tif 000020